(57)【要約】【課題】複数の照度状態から好みの状態を選択する際、ユーザーが視覚と聴覚にて認識しながら調光操作することができる照明装置を提供する。【解決手段】光源１１と、光源１１を点灯させるための点灯回路部１２と、増光および減光をそれぞれ指令する照度設定操作部１３と、照度設定操作部１３から発信される増光および減光指令信号を調光制御信号に変換し点灯回路部１２に発する調光制御部１４と、調光制御部１４からの発音信号にて音を発生する発音装置１５とから構成され、調光制御部１４が点灯回路部１２に発する調光制御信号が増光および減光の変化をしている間、発音信号を発音装置１５に発するようにした。【選択図】        図１
2004296206.tif 000002
【特許請求の範囲】
【請求項１】
光源と、前記光源を点灯させるための点灯回路部と、増光および減光をそれぞれ指令する照度設定操作部と、前記照度設定操作部から発信される増光および減光指令信号を調光制御信号に変換し前記点灯回路部に発する調光制御部と、前記調光制御部からの発音信号にて音を発生する発音装置とから構成され、調光制御部が点灯回路部に発する調光制御信号が増光および減光の変化をしている間、発音信号を発音装置に発することを特徴とする照明装置。
【請求項２】
調光制御信号にて発音装置の電源を変化させ、光源の照度変化とともに発音音量を変化させることを特徴とする請求項１記載の照明装置。
【請求項３】
光源に流れる電流に応じて発音装置の電源を変化させ、光源の照度変化とともに発音音量を変化させることを特徴とする請求項１記載の照明装置。
【請求項４】
調光制御信号に応じて発音装置の周波数を変化させ、光源の照度変化とともに発音周波数を変化させることを特徹とする請求項１〜３のいずれかに記載の照明装置。
【請求項５】
複数の光源と、前記複数の光源をそれぞれ点灯させるための複数の点灯回路部と、増光および減光をそれぞれ指令する照度設定操作部と、照度設定操作部から発信される増光および減光指令信号を調光制御信号に変換し前記複数の点灯回路部にそれぞれ発する調光制御部と、前記調光制御部からの発音信号にて音を発する発音装置とから構成され、各光源の調光状態の照度上限値に応じて発音信号を発音装置に発することを特徴とする照明装置。
【請求項６】
光源と、前記光源を点灯させるための点灯回路部と、所定の点灯状態を指令する操作部と、操作部から発信される点灯状態指令信号を受けて調光制御信号に変換し前記点灯回路部に発する調光制御部と、前記調光制御部からの発音信号にて音を発する発音装置とから構成され、照度設定操作部から所定の点灯状態指令信号を受けると調光制御部は所定の照度または消灯状態に至るまで調光制御信号を略連続的に変化させるようにフェードをかけ、所定の照度または消灯状態に至るまで発音信号を発音装置に発することを特徴とする照明装置。
【請求項７】
光源と、前記光源を点灯させるための点灯回路部と、増光および減光をそれぞれ指令する照度設定操作部と、前記照度設定操作部から発信される増光および減光指令信号を調光制御信号に変換し前記点灯回路部に発する調光制御部と、前記調光制御部からの発音信号にて音を発する発音装置とから構成され、照度設定操作部の増光および減光指令信号に応じて発音装置の音量を変化させることを特徴とする照明装置。
【請求項８】
リモートコントロール装置による遠隔操作可能な照度設定操作部を備えることを特徴とする請求項１〜７のいずれかに記載の照明装置。
【請求項９】
請求項１〜８のいずれかに記載の照明装置を器具本体に設けたことを特徴とする照明器具。
【発明の詳細な説明】
【０００１】
【発明の属する技術分野】
本発明は、調光制御部の信号により点灯回路部を通じて光源に対する点灯、消灯などの制御を実行する照明装置および照明器具に関するものである。
【０００２】
【従来の技術】
【特許文献１】
特開平６−１８１０９３号公報
【０００３】
従来より、天井や壁などに取り付けられた照明器具を赤外線などの無線媒体を用いて遠隔制御するリモートコントロール（以下リモコン）装置が広く用いられている。この種のリモコン式の照明器具において、各種のキー操作に対応して、リモコン信号を受信したことをユーザーに知らせるための１つの方法としてアンサーバック用の発信音を鳴らす装置が広く用いられている。上掲の特開平６−１８１０９３号公報（特許文献１）によれば、消灯モードなどの特定モードを認識し易くするためにその特定モードに移行する場合に発信音を異ならせることが提案されている。また、実用新案第２６００２９７号によれば、連続的に調光が可能な照明器具において調光上限、下限をユーザーに知らせることが提案されている。
【０００４】
【発明が解決しようとする課題】
ところが、複数の点灯モードを持ち、略連続的に調光させる、わずかな照度の違いを持つ照明装置では、それぞれの点灯モードへの移行において、ユーザーは認識が困難になる。その照明装置に蛍光灯のような光源自体の物性定数による照度変化を伴う光源負荷が使用される場合には、光源の点灯状態を自分の目で確かめて好みの点灯モードを選択することは困難である。
【０００５】
本発明は上述のような点に鑑みてなされたもので、その目的とするところは、複数の照度状態から好みの状態を選択する際、ユーザーが視覚と聴覚にて認識しながら調光操作することができる照明装置を提供することにある。
【０００６】
【課題を解決するための手段】
請求項１の発明では、上記の課題を解決するために、図１に示すように、光源１１と、前記光源１１を点灯させるための点灯回路部１２と、増光および減光をそれぞれ指令する照度設定操作部１３と、前記照度設定操作部１３から発信される増光および減光指令信号を調光制御信号に変換し前記点灯回路部１２に発する調光制御部１４と、前記調光制御部１４からの発音信号にて音を発生する発音装置１５とから構成され、調光制御部１４が点灯回路部１２に発する調光制御信号が増光および減光の変化をしている間、発音信号を発音装置１５に発することを特徴とするものである。
【０００７】
請求項２の発明によれば、請求項１の発明において、調光制御信号にて発音装置の電源を変化させ、光源の照度変化とともに発音音量を変化させることを特徴とする。
請求項３の発明によれば、請求項１の発明において、光源に流れる電流に応じて発音装置の電源を変化させ、光源の照度変化とともに発音音量を変化させることを特徴とする。
請求項４の発明によれば、請求項１〜３のいずれかにおいて、調光制御信号に応じて発音装置の周波数を変化させ、光源の照度変化とともに発音周波数を変化させることを特徹とする。
【０００８】
請求項５の発明によれば、複数の光源と、前記複数の光源をそれぞれ点灯させるための複数の点灯回路部と、増光および減光をそれぞれ指令する照度設定操作部と、照度設定操作部から発信される増光および減光指令信号を調光制御信号に変換し前記複数の点灯回路部にそれぞれ発する調光制御部と、前記調光制御部からの発音信号にて音を発する発音装置とから構成され、各光源の調光状態の照度上限値に応じて発音信号を発音装置に発することを特徴とする。
請求項６の発明によれば、光源と、前記光源を点灯させるための点灯回路部と、所定の点灯状態を指令する操作部と、操作部から発信される点灯状態指令信号を受けて調光制御信号に変換し前記点灯回路部に発する調光制御部と、前記調光制御部からの発音信号にて音を発する発音装置とから構成され、照度設定操作部から所定の点灯状態指令信号を受けると調光制御部は所定の照度または消灯状態に至るまで調光制御信号を略連続的に変化させるようにフェードをかけ、所定の照度または消灯状態に至るまで発音信号を発音装置に発することを特徴とする。
【０００９】
請求項７の発明によれば、光源と、前記光源を点灯させるための点灯回路部と、増光および減光をそれぞれ指令する照度設定操作部と、前記照度設定操作部から発信される増光および減光指令信号を調光制御信号に変換し前記点灯回路部に発する調光制御部と、前記調光制御部からの発音信号にて音を発する発音装置とから構成され、照度設定操作部の増光および減光指令信号に応じて発音装置の音量を変化させることを特徴とする。
請求項８の発明によれば、請求項１〜７のいずれかにおいて、リモートコントロール装置による遠隔操作可能な照度設定操作部を備えることを特徴とする。
請求項９は照明器具に関する発明であり、請求項１〜８のいずれかに記載の照明装置を器具本体に設けたことを特徴とする。
【００１０】
【発明の実施の形態】
（実施の形態１）
本発明の実施の形態１の照明器具の概略構成を図１に示す。商用電源に接続された照明装置は、照明負荷（光源）１１を備え、この照明負荷１１は、点灯回路部１２により点灯される。照度設定操作部１３によって発信される増光および減光指令信号を受け、調光制御部１４は点灯回路部１２に調光制御信号を出力する。発音装置１５は調光制御部１４からの発音信号により発音する。調光制御部１４には各種信号を処理するマイクロコンピュータ（以下マイコン）を搭載し、照度設定操作部１３を介してユーザーから好みの調光操作を受け、それぞれ点灯回路部１２、発音装置１５に信号を発する処理を行っている。照度設定操作部１３、調光制御部１４、および発音装置１５の回路図を図２に示す。
【００１１】
ここでは、照度設定操作部１３にリモコン装置を用いている。このリモコン装置は、ユーザーが調光操作をするリモコン送信器１３２と、リモコン送信器１３２からの信号を受けるリモコン受光素子１３１とを含んで構成されている。発音装置１５としては、圧電ブザー１５２とブザー駆動部１５１を用いている。調光制御部１４は、制御処理を行うマイコン１４１、クロック発振部１４２、調光信号部１４３から構成されている。
【００１２】
マイコン１４１の入力信号としては、受光素子１３１からの操作信号、クロック発振部１４２からの基準周波数が入力されている。また、出力信号としては、点灯回路部１２への調光制御信号、圧電ブザー１５２への発音信号が出力されている。発音信号は周波数可変で、固有のメロディを奏でることも可能である。
【００１３】
リモコン受光素子１３１がリモコン送信器１３２から発信される増光および減光指令信号を受け、その信号に従ってマイコン１４１が制御処理を行う。調光制御部１４から点灯回路部１２に発信される調光制御信号が変化している間、常にマイコン１４１から圧電ブザー１５２に発音信号を発する処理をするものである。
【００１４】
このように、本発明によれば、調光制御信号が変化している期間は、発音信号を発音装置に送り、音を鳴らし続けておくものであり、音の鳴っている期間は照度の変化している期間であることをユーザーの聴覚を通じて知らせることができる。したがって、照度の変化が視覚的に分かりにくい場合でも照度が変化していることをユーザーに知らせることができる。
【００１５】
（実施の形態２）
本発明の実施の形態２の照明器具の概略構成を図３に示す。全体構成については、図１に示した実施の形態１の構成と同じである。図３では、照度設定操作部１３、調光制御部１４、および発音装置１５の回路図を示す。本実施の形態では、実施の形態１の回路に発音装置１５の電源部として、発音装置電源部１５３を加えたものである。調光制御部１４から点灯回路部１２に発信される調光信号は、周波数が一定でＤｕｔｙ（一周期に占めるオン時間の割合）の変化により調光の度合いを指示する。そこで、この調光信号のオン幅を発音装置電源部１５３にてＤＣ電圧に変換し、その電圧を発音装置１５の電源として供給するものである。これにより、調光の度合いに応じて音量制御が可能となる。また、同時にマイコン１４１からの調光信号に応じてブザー１５２の発音制御を行うことは実施の形態１と同様である。
【００１６】
（実施の形態３）
本発明の実施の形態３の照明器具の概略構成を図４に示す。商用電源に接続された照明装置は、照明負荷（光源）１１を備え、この照明負荷１１は、点灯回路部１２により点灯される。照度設定操作部１３によって発信される増光および減光指令信号を受け、調光制御部１４は点灯回路部１２に調光制御信号を出力する。発音装置１５は調光制御部１４からの発音信号により発音する。調光制御部１４には各種信号を処理するマイコンを搭載し、照度設定操作部１３を介してユーザーから好みの調光操作を受け、それぞれ点灯回路部１２、発音装置１５に信号を発する処理を行っている。
【００１７】
本実施の形態の構成は、実施の形態１の構成とほぼ同じであるが、光源１１に流れる電流をカレントトランス１６にて検出し、その光源電流に応じた電源電圧を発音装置１５に供給するものである。これにより、その光源電流に応じた音量制御が可能となる。
【００１８】
（実施の形態４）
本発明の実施の形態４の構成は、図１〜図４に示した実施の形態１〜３の構成において、調光制御部１４から点灯回路部１２に発信される調光信号は可聴域の周波数の信号であり、この調光信号の周波数の変化により調光制御を行うことを特徴とする。すなわち、マイコン１４１からの調光信号を利用して発音装置１５の音階制御を同時に行うものである。例えば、調光が深くなるにつれて周波数が高くなり、調光が浅くなるにつれて周波数が低くなるような調光信号を用いた場合には、この調光信号の周波数を発音装置１５によりユーザーに認識できる音量で発音させることにより、調光の下限付近や上限付近において、光量の変化が視覚的に認識しにくい領域であっても、音程の変化により光量の変化を聴覚的に認識することが可能となる。
【００１９】
（実施の形態５）
本発明の実施の形態５の照明器具の概略構成を図５に示す。商用電源に接続された照明装置は、複数の照明負荷（光源）１１ａ，１１ｂを備えている。これらの照明負荷１１ａ，１１ｂは、点灯回路部１２により点灯される。照度設定操作部１３によって発信される増光および減光指令信号を受け、調光制御部１４は点灯回路部１２に調光制御信号を出力する。発音装置１５は調光制御部１４からの発音信号により発音する。調光制御部１４には各種信号を処理するマイコンを搭載し、照度設定操作部１３を介してユーザーから好みの調光操作を受け、それぞれ点灯回路部１２、発音装置１５に信号を発する処理を行っている。
【００２０】
ここで、照度設定操作部１３、調光制御部１４、および発音装置１５の回路図を図６に示す。図３とほぼ構成は同じであるが、複数の照明負荷（光源）１１ａ，１１ｂを備えていることに対応して、２つの調光信号部１４３，１４４を備えており、点灯回路部１２に照明負荷１１ａの調光制御信号と照明負荷１１ｂの調光制御信号を発する。これら複数の調光制御信号をダイオードＤ１，Ｄ２よりなるＯＲ回路に入力して、調光制御信号の上限値によって発音装置５の電源電圧を変化させ、ブザーの音量制御を行うものである。
【００２１】
本実施の形態の動作を図７に示す。図中、（ａ）は光源ａの照度、（ｂ）は光源ｂの照度、（ｃ）はブザーの発音音量である。本実施の形態では、複数ある光源のうち、最も照度の高い光源を制御している調光制御信号の変化に応じて発音信号を変化させるものであるが、これとは逆に最も照度の低い光源を制御している調光制御信号の変化に応じて発音信号を変化させるようにしても良い。
【００２２】
（実施の形態６）
本発明の実施の形態６は実施の形態１〜５の構成において、さらに、光源を所定の点灯状態あるいは消灯状態にするように指令する操作部を備え、該操作部をユーザーが操作すると、光源の明るさを略連続的に変化させるフェード処理を行う。例えば、リモコン送信器にフェードスイッチを設け、この操作スイッチが操作されたことがリモコン受光部で検出されて、照明負荷を所定の点灯状態あるいは消灯状態にするように指令する信号としてマイコンに入力されると、マイコンは光源が所定の照度あるいは消灯状態に至るまで、調光制御信号を略連続的に変化させるフェード処理を行う。そしてこのフェード処理の間、つまり、調光制御部から点灯回路部に発信される調光信号が変化している間、常に調光制御部から発音装置に発音信号を発するようにしたものである。
【００２３】
（実施の形態７）
本発明の実施の形態７の照明器具の概略構成を図８に示す。商用電源に接続された照明装置は、照明負荷（光源）１１を備え、この照明負荷１１は、点灯回路部１２により点灯される。照度設定操作部１３によって発信される増光および減光指令信号を受け、調光制御部１４は点灯回路部１２に調光制御信号を出力する。発音装置１５は調光制御部１４からの発音信号により発音する。調光制御部１４には各種信号を処理するマイコンを搭載し、照度設定操作部１３を介してユーザーから好みの調光操作を受け、点灯回路部１２に信号を発する処理を行っている。また、照度設定操作部１３によって発信される増光および減光指令信号は、発音装置１５にも送られており、それぞれ増光および減光の各指令信号に応じた発音信号が発音装置１５から発せられる。なお、点灯回路部１２から増光および減光以外の意味を持つ発音信号を発音装置１５に発するようにしても良い。
【００２４】
【発明の効果】
請求項１の発明によれば、調光制御部が点灯回路部に発する調光制御信号が増光および減光の変化をしている間、発音信号を発音装置に発するようにしたから、視覚にて認識しにくい照度変化の度合いを視覚のみならず聴覚によっても確認できるようにすることでユーザーが容易に認識することができる効果がある。
また、請求項２〜４の発明によれば、調光制御信号や光源電流などに従って発音装置からの音量や音程を変化させることにより、簡単な構成で増光および減光の変化を発音装置の音量や音程の変化として出力できる効果がある。
請求項５の発明によれば、照明装置が複数の光源を備える場合に、各光源の照度変化が視覚的に認識しにくい調光範囲を発音信号により聴覚的に認識しやすくする効果がある。
【００２５】
請求項６の発明によれば、現在の照度から所定の目標照度に至るまで調光制御信号を略連続的に変化させると共に、その照度変化に応じて発音装置の発音信号を変化させるようにしたから、フェード処理の様子をユーザーが認識しやすくなる効果がある。
請求項７の発明によれば、照度設定操作部から送られる増光および減光指令信号を発音装置に送り、ユーザー操作に応じて発音装置を発音させるようにしたから、簡単な構成で増光および減光の操作をユーザーに認識させることができる。請求項８の発明によれば、リモートコントロール装置による遠隔操作可能な照度設定操作部を備えることで、増光および減光の操作信号が照明装置に正常に到達していることをユーザーに認識させることができる。
【図面の簡単な説明】
【図１】本発明の実施の形態１の概略構成を示すブロック図である。
【図２】実施の形態１の調光制御部と発音装置の回路図である。
【図３】実施の形態３の調光制御部と発音装置の回路図である。
【図４】本発明の実施の形態３の概略構成を示すブロック図である。
【図５】本発明の実施の形態５の概略構成を示すブロック図である。
【図６】本発明の実施の形態５の調光制御部と発音装置の回路図である。
【図７】本発明の実施の形態５の動作説明図である。
【図８】本発明の実施の形態７の調光制御部と発音装置の回路図である。
【符号の説明】
１１    照明負荷（光源）
１２    点灯回路部
１３    照度設定操作部
１４    調光制御部
１５    発音装置
【図１】
2004296206.tif 000003
【図２】
2004296206.tif 000004
【図３】
2004296206.tif 000005
【図４】
2004296206.tif 000006
【図５】
2004296206.tif 000007
【図６】
2004296206.tif 000008
【図７】
2004296206.tif 000009
【図８】
2004296206.tif 000010